(57)【要約】      （修正有）【課題】安全かつ容易に吊り足場用パネルを連結・撤去することが可能な吊り足場用パネルを提供する。【解決手段】縦横に連結させ水平方向に構築していく吊り足場用パネルであって、長方形のパネルの少なくとも一方の短辺部の端部に、蝶番を介して回動可能な端部隙間塞ぎ材２３をパネル床面と面一に設けた。【選択図】図１２
2015081456.tif 000002
【特許請求の範囲】
【請求項１】
縦横に連結させ水平方向に構築していく吊り足場用パネルであって、長方形のパネルの少なくとも一方の短辺部の端部に、蝶番を介して回動可能な端部隙間塞ぎ材をパネル床面と面一に設けたことを特徴とする吊り足場用パネル。
【請求項２】
縦横に連結させ水平方向に構築していく吊り足場用パネルであって、長方形のパネルの少なくとも一方の短辺部の端部に、水平方向に引き出し可能な端部隙間塞ぎ材をパネル床面と面一に設けたことを特徴とする吊り足場用パネル。
【請求項３】
短辺部の部材がパイプからなることを特徴とする、請求項１または２に記載の吊り足場用パネル。
【請求項４】
端部隙間塞ぎ材が開口部を有することを特徴とする、請求項１から３までのいずれかに記載の吊り足場用パネル。
【請求項５】
端部隙間塞ぎ材を吊り足場用パネルと面一に設けた状態で、短辺部材同士を連結しているクランプが端部隙間塞ぎ材の下方に収容可能なスペースを有することを特徴とする、請求項１から４までのいずれかに記載の吊り足場用パネル。
【発明の詳細な説明】
【技術分野】
【０００１】
本発明は、道路などの橋桁の補修や点検作業などで仮設される吊り足場用パネルに関する。
【背景技術】
【０００２】
一般に、橋や高速道路などの橋桁の補修や点検作業では、その下が川や車道であることが多いことから、地上から仮設足場を組み上げることができない。このため、橋桁に吊って設置する吊り足場を仮設することが多い。
【０００３】
従来、この種の吊り足場としては、「単管足場方式」が知られている。これは、橋桁に吊りチェーンを橋桁の軸方向（車の進行方向）に所定間隔に垂設し、この吊りチェーンの間に親パイプを橋桁の軸方向に架け渡し、平行する親パイプの間に橋桁の軸直角方向に転がしパイプを所定間隔に複数本架け渡し、その後、これらの転がしパイプの上に足場板の複数本を橋桁の軸方向に平行に設置し、さらに足場板の下側と両側面に安全ネットを張ることによって、構成される。
【０００４】
しかしながら、単管足場方式による吊り足場は、単管、足場板、チェーンなどの部品を一つ一つ、クランプ等の連結金具で連結しながら設置していく必要があるため、仮設および撤去作業がきわめて煩わしく、面倒なだけでなく危険であった。
【０００５】
このため、概略長方形に形成された骨組の上方に床材を固定し一体化してなるパネルを、橋桁の橋梁部から吊り下げたチェーンで吊りながら、縦横に連結して水平方向に足場面積を広げていく「パネル方式」が提案され実用化されてきている。
【０００６】
図１は、パネル方式による吊り足場の模式図である。(a)が橋桁の軸直角方向の断面図であり、(b)がそのＡ−Ａ矢視の平面図である。
【０００７】
この吊り足場１は、橋桁の床版部２の下方に適宜間隔に設けられた、Ｉ形鋼からなる橋梁部３のフランジ３ａからチェーンクランプ４によってチェーン５を吊り下げる。この吊りチェーン５を橋桁の軸方向に、あるいは橋桁の軸方向および橋桁の軸直角方向の両方向に複数本設置し、併せて、長方形のパネル６をチェーン位置７においてチェーン５で吊りながらパネル６の長辺部材６ａ同士および短辺部材６ｂ同士をそれぞれ連結具によって連結していくのである。
【０００８】
特許文献１には、パネルの長辺同士を連結するために、パネル長辺部の一方の側面にパネル長辺部から突出する連結具を設け、そして、パネル長辺部の他方の側面にはその突出した連結具の先端を差し込むことのできる孔を有する連結受け部を設けてなるパネルが提案されている。
【０００９】
図２は、特許文献１に基づいて実用化されているパネルの一例（従来例）である。(a)が平面図、 (b)が正面図、(c)が左側面図、(d)がパネルの短辺部材、そして、(e)がＡ部の詳細図である。
【００１０】
このパネル６は、長方形の枠組の上に床材８を張ったものである。このパネル６の上には床材８が張られていて、作業員がその上で作業をすることができる。そして、このパネル６には、橋梁部から吊り下げられたチェーンを通すための隙間９を設けるために、パネル６の両端部のそれぞれに、隙間９を開けて、丸パイプからなる短辺部材６ｂが取り付けられている。なお、吊り下げられたチェーンは、床面に設けられた吊りリング１０に通す場合もあるため、ここでは、どちらを用いてもチェーンを通すことができるように、隙間９と吊りリング１０の両方が設けられている。
【００１１】
長方形のパネルの連結は、まず長辺部材同士でパネルを連結することによってなされる。
【００１２】
図３は、図２に示されるパネルの２枚をその長辺部材同士で連結した状態を示す図である。(a)が平面図であり、そして、(b)がＢ−Ｂ矢視の右側面図である。
【００１３】
パネルの長辺部材同士の連結は、設置済みのパネル（図３(a)では上側に、図３(b)では右側に図示される。）のパネル長辺部６ａから突出する連結具１１に、連結すべきパネル（図３(a)では下側に、図３(b)では左側に図示される。）のパネル長辺部６ａの連結受け部１２の孔を外挿し、ボルトを締めることによってなされる。このときのチェーン吊り位置１８は図示したとおりであり、チェーン５は隙間９を通ることでパネルの短辺部材６ｂを保持している。
【００１４】
図４は、図２に示されるパネルの２枚をその長辺部材同士で連結する作業を示す。(a)が連結前、そして、(b)が連結後である。
【００１５】
ここでは、作業員（図示せず）は設置済みのパネル（図４(a)の左側に図示される。）の上にひざをついて、そのパネルの長辺部材６ａの側面から突出した連結具１１の先端に、連結すべきパネル（図４の右側に図示される。）の長辺部材６ａの側面に設けられた連結受け部１２の孔を外挿した後、連結受け部１２に穿たれた貫通孔１３と連結具１１に穿たれた係止孔１４を位置合わせしてから、両方の孔に貫通ピン１５を差し込んだ後、調整ボルト１６を締めることによって、パネルの長辺部材同士の連結が完了する。
【００１６】
次いで、長方形のパネルの短辺同士でパネルが連結される。
【００１７】
図５は、図２に示されるパネルの２枚をその短辺部材同士で連結した状態を示す図である。(a)が平面図であり、そして、(b)がＣ部の詳細図である。
【００１８】
パネルの短辺同士の連結は、設置済みのパネル（図５(a)の左側に図示される。）の右端のパネル短辺部材６ｂと、連結すべきパネル（図５(a)の右側に図示される。）の左端のパネル短辺部材６ｂの間を、２本のパイプを緊結することのできるクランプ１９で緊結することによってなされる。
【００１９】
図６は、クランプによりパネル２枚をその短辺部材同士で連結する作業を示す図である。いずれも、図５のＤ−Ｄ矢視の断面図であり、(a)がクランプ緊結前、そして、(b)がクランプ緊結後である。
【００２０】
ここでは、作業員（図示せず）は設置済みのパネルの床材８（図６(a)の左側に図示される。）の右端部上にひざをついて、連結すべきパネルの床材８（図６(a)の右側に図示される。）の左端のパネル短辺部材６ｂを左方向に引き寄せる。このとき、クランプ１９の一方（左側）は設置済みのパネルの右端のパネル短辺部材６ｂ（左側）に予め取り付けて緊結しておき、そしてクランプ１９の他方（右側）は開放状態にしたままの状態にしておく。その上で、連結すべきパネル（右側）を左方向に引き寄せてから、その左端のパネル短辺部材６ｂをクランプ１９の他方（右側）に取り付けてネジ部１９ａで緊結することで、２つのパネルの短辺部材６ｂが連結される。
【００２１】
ここでは、クランプ１９でもって２つのパネル短辺部材を緊結する手作業をすることになるため、作業員の手首がパネル短辺部に設ける隙間に入ることができるように、その隙間は８ｃｍ以上必要となる。
【先行技術文献】
【特許文献】
【００２２】
【特許文献１】特公平７−１０３６７９号公報
【発明の概要】
【発明が解決しようとする課題】
【００２３】
しかしながら、このような短辺部の近傍に８ｃｍ以上もの隙間を有するパネルを用いて、パネルの短辺部材同士を連結・解体する作業をしようとすると、次の(i)〜(iii)に示す問題が生じる。
【００２４】
(i)通常、仮設足場に於ける、通路（床付き布枠）部の開口の基準は短辺方向の幅で３ｃｍ以下と定められている。これは、足場上で使用される３ｃｍの隙間から落下する可能性がある物体は、だいたいがボルト・ナット等のような軽量な物体であり、もし、それらが３ｃｍの隙間から落下したとしても安全服装（ヘルメット等）を着用していれば、大きな事故にならないという考えから、定められた数値である。
【００２５】
しかしながら、上述したとおり、このパネルの短辺部には両端に８ｃｍ以上の隙間が開いており、単管、アングル等のような重量物が、その隙間から落下する危険性がある。また、場合によっては、作業員の脚がその隙間にはまり、バランスを崩すことで、足場外に転落する危険性もある。
【００２６】
(ii)長方形のパネルの連結作業は、先程は、まず長辺部材同士でパネルを連結し、次いで、短辺部同士を連結することによってなされると説明した。しかしながら、たとえば、パネルの３枚を水平Ｌ字形に連結した後に別の１枚のパネルを水平に連結して長方形の４枚連結パネルを形成するときは、次のとおり、長辺部材同士の連結と短辺部材同士の連結を一度に行うこともできる。
【００２７】
図７は、図２に示されるパネルの３枚を水平Ｌ字形に連結した後に、３枚のパネル(A)(B)(C)の右上にさらに別の１枚のパネル(D)を水平に連結するときの状況を示す。
【００２８】
ここでは、作業員は２人必要であり、その作業位置２１ｂは図示したとおり、設置済みのパネル(A)とパネル(C)の２個所である。作業員は協同して、連結しようとするパネル(D)を右上方向から左下方向に移動させるのである。すなわち、パネル(A)の作業員はパネル(D)を引き寄せてパネル(A)との間でパネル短辺部材同士を連結する作業を、そして、パネル(C)の作業員はパネル(D)を引き寄せてパネル(C)との間でパネル短辺部材同士を連結する作業をすることになる。
【００２９】
図８は、パネル(A)の作業員の連結作業を示す。
【００３０】
この作業員２１は、設置済みのパネル(A)の床材８（図８の左側に図示される。）の右端部上にひざをついて、連結すべきパネル(D)の床材８（図８の右側に図示される。）の左端のパネル短辺部材６ｂを左方向に引き寄せる。このとき、クランプ１９の一方（左側）は設置済みのパネル(A)の右端のパネル短辺部材６ｂ（左側）に予め取り付けて緊結しておき、そしてクランプ１９の他方（右側）は開放状態にしたままの状態にしておく。その上で、連結すべきパネル（右側）を左方向に引き寄せてから、その左端のパネル短辺部材６ｂをクランプ１９の他方（右側）に取り付けて緊結することで、２つのパネルの短辺部材６ｂが連結される。この作業は、図６での作業と同じである。
【００３１】
しかしながら、設置済みのパネル(A)の右側端部には、クランプでもって２つのパネル短辺部材を緊結する手作業をするために８ｃｍ以上もの隙間９が形成されているから、この作業員２１はその分だけその端部から離れた場所にひざをついて、手を伸ばした不安定な体勢で、連結すべきパネル(D)を引き寄せるという作業をすることになる。したがって、作業員２１はこの連結作業の際にバランスを崩す危険性がある。
【００３２】
(iii) この隙間は、パネルを水平方向に連結して吊り足場を組み立てた後に、パネルの間に端部隙間塞ぎ材を載置することで塞ぐことができる。
【００３３】
図９は、端部隙間塞ぎ材の載置例を示す。(a)が平面図、(b)がＥ部の詳細図、そして、(c)がＦ−Ｆ矢視断面図である。
【００３４】
２枚のパネル６を短辺部材６ｂ同士で連結した後に、２枚のパネル６の間に端部隙間塞ぎ材２３が載置される。しかしながら、パネルの短辺部材６ｂにはクランプ１９が取り付けられているため、端部隙間塞ぎ材の床面の高さはパネルの床面より高い位置となるため、端部隙間塞ぎ材２３のところで段差２３ａが形成される。そのため、作業員が吊り足場上を移動中に、その段差２３ａにつまづいて転倒するおそれがあり、危険である。また、端部隙間塞ぎ材２３はパネル８の端部間に載置されているだけであって、パネル８と連結されているわけではない。したがって、隙間の上に端部隙間塞ぎ材２３を載置する際に、手が滑って、その隙間から端部隙間塞ぎ材が落下してしまうおそれがある。
【００３５】
本発明は、以上の課題を一挙に解決するためになされたもので、吊り足場用パネルを安全かつ容易に連結・解体することができるだけでなく、吊り足場設置後の足場上で安全かつ容易に作業・移動することができる吊り足場用パネルを提供することを目的とする。
【課題を解決するための手段】
【００３６】
本発明者らは、吊り足場用パネルの連結・解体作業および吊り足場設置後の足場上での作業・移動を安全かつ容易にするべく、検討を重ねた。その結果、次の(a)〜(e)に示す知見を得た。
【００３７】
(a) パネルをチェーンにより吊り下げた状態でパネルの短辺部材同士をクランプで連結するためには、パネル短辺部材の近傍に連結作業をするための隙間を設けざるを得ない。
【００３８】
(b) パネル短辺部材の近傍に連結作業をするための隙間を設けたときに、作業員は手前のパネルの短辺部に近い床面上にひざをついて、手を伸ばした不安定な体勢で連結すべきパネルを引き寄せる作業をすることになる。したがって、不安定な体勢を避けるために、隙間はできるだけ狭く設けることとしたい。
【００３９】
(c) パネルの間に形成される隙間は、パネルの端部の短辺部材間をクランプで緊結する作業をするために必要であるが、橋梁部から吊り下げられたチェーンを床面に設けられた吊りリングに通す場合には、パネルの連結作業終了後は隙間を設けておく必要はなくなる。ただし、橋梁部から吊り下げられたチェーンをパネルの端部の短辺部材に通す場合にはパネルの連結作業終了後も隙間を設けておく必要があるが、チェーン吊り位置だけ隙間を確保すればよいから、３ｃｍ以内の隙間を残すことで足りる。
【００４０】
このように、パネルの連結作業終了後は隙間の上に端部隙間塞ぎ材を載置することで塞ぐことができる。チェーン吊り位置だけの隙間を確保したいときには、その分の隙間を残せばよい。隙間を残す代わりに、端部隙間塞ぎ材のチェーン吊り位置に対応する場所に開口部を設けてもよい。
【００４１】
(d) 端部隙間塞ぎ材が隙間から落下することを防止するためには、端部隙間塞ぎ材がパネルから離れないようにすればよい。例えば、パネルの短辺部の端部に蝶番を介して端部隙間塞ぎ材を設置し、端部隙間塞ぎ材を上方向または下方向に回動自在に折りたためるようにすればよい。あるいは、パネルの短辺部の端部に端部隙間塞ぎ材を水平方向に引き出し可能に設置して、端部隙間塞ぎ材を水平方向に移動できるようにすればよい。
【００４２】
端部隙間塞ぎ材をパネルの短辺部の端部に設置すると、作業員は端部隙間塞ぎ材の上にひざをついて、連結すべきパネルを引き寄せて連結作業をすることができる。すなわち、端部隙間塞ぎ材の分だけ、作業員は前屈みの無理な体勢を取らずに済むから、作業員はその分安全に作業をすることができる。この場合、作業員がその端部隙間塞ぎ材の上で作業しても持ちこたえることのできるように、端部隙間塞ぎ材を強固な形状や材料とするのがよい。例えば、端部隙間塞ぎ材の板厚を厚くする、床材の端部を折り曲げる、あるいはパネル本体から端部隙間塞ぎ材の受け材を設けたりするなど、様々なことが考えられるが、作業床として使用できればよい。
【００４３】
図１０は、作業員が連結作業をする際の作業員の作業位置を示す図である。(a)が端部隙間塞ぎ材のない場合、そして、(b)が端部隙間塞ぎ材のある場合である。
【００４４】
いずれの場合も、作業員２１はひざをついて、連結すべきパネルの短辺部材６ｂを引き寄せて、その短辺部材６ｂをクランプ１９に緊結する作業をすることになる。このとき、(a)の端部隙間塞ぎ材のない場合には、作業員２１はパネルの床材８の端部にひざをついて連結すべきパネルの短辺部材６ｂを引き寄せるので、前屈みの無理な体勢を取ることになる。これに対して、(b)の端部隙間塞ぎ材がある場合には、作業員２１は端部隙間塞ぎ材２３の端部にひざをついて連結すべきパネルの短辺部材６ｂを引き寄せるので、前屈みの無理な体勢を取ることはなくなり、その分安全に作業をすることができる。
【００４５】
(e) なお、端部隙間塞ぎ材を設置する際には、端部隙間塞ぎ材とパネルとの間の段差２３ａをなくすことで、作業員が吊り足場上を移動中につまづくことがないようにしたい。すなわち、端部隙間塞ぎ材の高さをパネルの床面の高さとほぼ同一にするのがよい。ここで、端部隙間塞ぎ材とパネル床面を面一にしても、連結作業への影響はない。
【００４６】
図１１は、図１０(b)のクランプ部分の拡大図である。
【００４７】
作業員(図示せず)は設置済みのパネルに設けられた端部隙間塞ぎ材の端部の上にひざをついて、連結すべきパネルの短辺部材（図示せず）６ｂをクランプ１９に緊結する作業をすることになる。このとき、設置済みのパネルの短辺部材６ａはすでにクランプ１９に緊結されていて、そのクランプのネジ部１９ａ（左側に図示されるもの）は横に倒れているから、端部隙間塞ぎ材の邪魔にはならない。そして、連結すべきパネルの短辺部材（図示せず）を緊結するためのネジ部１９ａ（右側に図示されるもの）は立っているが、そこには端部隙間塞ぎ材は存在しない（正確には、連結すべきパネルには端部隙間塞ぎ材が設けられているが、ネジ部１９ａ（右側に図示されるもの）の位置には存在しない。）
【００４８】
本発明は、上記の知見に基づきなされたもので、その要旨は下記の(1)〜(5)の吊り足場用パネルにある。以下、総称して、本発明という。
【００４９】
(1) 縦横に連結させ水平方向に構築していく吊り足場用パネルであって、長方形のパネルの少なくとも一方の短辺部の端部に、蝶番を介して回動可能な端部隙間塞ぎ材をパネル床面と面一に設けたことを特徴とする吊り足場用パネル。
【００５０】
(2) 縦横に連結させ水平方向に構築していく吊り足場用パネルであって、長方形のパネルの少なくとも一方の短辺部の端部に、水平方向に引き出し可能な端部隙間塞ぎ材をパネル床面と面一に設けたことを特徴とする吊り足場用パネル。
【００５１】
(3) 短辺部の部材がパイプからなることを特徴とする、上記(1)または(2)の吊り足場用パネル。
【００５２】
(4) 端部隙間塞ぎ材が開口部を有することを特徴とする、上記(1)〜(3)のいずれかの吊り足場用パネル。
【００５３】
(5) 端部隙間塞ぎ材を吊り足場用パネルと面一に設けた状態で、短辺部材同士を連結しているクランプが端部隙間塞ぎ材の下方に収容可能なスペースを有することを特徴とする、上記(1)〜(4)のいずれかの吊り足場用パネル。
【発明の効果】
【００５４】
本発明に係る吊り足場用パネルは、安全かつ容易に連結・解体することができるだけでなく、設置後の足場上で安全かつ容易に作業・移動することができる。
【図面の簡単な説明】
【００５５】
【図１】パネル方式による吊り足場の模式図である。(a)が橋桁の軸直角方向の断面図であり、(b)がそのＡ−Ａ矢視の平面図である。
【図２】特許文献１に基づいて実用化されているパネルの一例（従来例）である。(a)が平面図、 (b)が正面図、(c)が左側面図、(d)がパネルの短辺部材、そして、(e)がＡ部の詳細図である。
【図３】図２に示されるパネルの２枚をその長辺部材同士で連結した状態を示す図である。(a)が平面図であり、そして、(b)がＢ−Ｂ矢視の右側面図である。
【図４】図２に示されるパネルの２枚をその長辺部材同士で連結する作業を示す図である。(a)が連結前、そして、(b)が連結後である。
【図５】図２に示されるパネルの２枚をその短辺部材同士で連結した状態を示す図である。(a)が平面図であり、そして、(b)がＣ部の詳細図である。
【図６】クランプによりパネル２枚をその短辺部材同士で連結する作業を示す図である。いずれも、図５のＤ−Ｄ矢視の断面図であり、(a)がクランプ緊結前、そして、(b)がクランプ緊結後である。
【図７】図２に示されるパネルの３枚を水平Ｌ字形に連結した後に、３枚のパネル(A)(B)(C)の右上にさらに別の１枚のパネル(D)を水平に連結するときの状況を示す。
【図８】パネル(A)の作業員の連結作業を示す。
【図９】端部隙間塞ぎ材の載置例を示す。(a)が平面図、(b)がＥ部の詳細図、そして、(c)がＦ−Ｆ矢視断面図である。端部隙間塞ぎ材
【図１０】作業員が連結作業をする際の作業員の作業位置を示す図である。(a)が端部隙間塞ぎ材のない場合、そして、(b)が端部隙間塞ぎ材がある場合である。
【図１１】図１０(b)のクランプ部分の拡大図である。
【図１２】本発明に係る吊り足場用パネルに用いる端部隙間塞ぎ材の一例（平面図）である。
【図１３】本発明に係る吊り足場用パネルに用いる端部隙間塞ぎ材の他の例（平面図）である。
【発明を実施するための形態】
【００５６】
以下、図面を用いて本発明に係る吊り足場用パネルを説明する。
【実施例】
【００５７】
図１２は、本発明に係る吊り足場用パネルに用いる端部隙間塞ぎ材の一例（平面図）である。
【００５８】
このパネルは、長辺部材６ａと、丸パイプからなる短辺部材とからなる長方形の枠組の上に床材８を張ったものである。このパネルの上には短辺部材近傍に隙間を残して床材８が張られていて、作業員がその上で作業をすることができる。この隙間は、パネルの連結時にパネルの端部の短辺部材間をクランプで緊結する作業をするために設置されている。また、パネルを橋梁部から吊り下げるためにチェーンをパネルの端部の短辺部材に通す場合に必要な隙間でもある。
【００５９】
そして、この隙間全体をカバーする端部隙間塞ぎ材２３が、パネル床面と面一に設けられている。また、この端部隙間塞ぎ材２３はパネルの床材８の端部の蝶番２３ｂを介して、上方向に回動自在に設けられている。このため、作業員はパネルを連結する際には、端部隙間塞ぎ材２３の端部にひざをついて連結すべきパネルの短辺部材を引き寄せることができるので、前屈みの無理な体勢を取ることはなくなり、その分安全に連結作業をすることができる。パネルを解体するときも同様である。また、パネルの短辺部材を緊結するためのクランプも端部隙間塞ぎ材の下方に収容されているので、パネル連結後のパネルと端部隙間塞ぎ材のレベル差はなく、端部隙間塞ぎ材の所で段差が生じていない。したがって、作業員は設置後の足場上で安全かつ容易に作業・移動することができる。
【００６０】
図１３は、本発明に係る吊り足場用パネルに用いる端部隙間塞ぎ材の他の例（平面図）である。
【００６１】
このパネルは、長辺部材６ａと、丸パイプからなる短辺部材とからなる長方形の枠組の上に床材８を張ったものである。このパネルの上には短辺部材近傍に隙間を残して床材８が張られていて、作業員がその上で作業をすることができる。この隙間は、パネルの連結時にパネルの端部の短辺部材間をクランプで緊結する作業をするために設置されている。また、パネルを橋梁部から吊り下げるためにチェーンをパネルの端部の短辺部材に通す場合に必要な隙間でもある。
【００６２】
そして、この隙間全体をカバーする端部隙間塞ぎ材２３が、パネル床面と面一に設けられている。また、この端部隙間塞ぎ材２３はパネルの床材８の端部の蝶番２３ｂを介して、上方向に回動自在に設けられている。このため、作業員はパネルを連結する際には、端部隙間塞ぎ材２３の端部にひざをついて連結すべきパネルの短辺部材を引き寄せることができるので、前屈みの無理な体勢を取ることはなくなり、その分安全に連結作業をすることができる。パネルを解体するときも同様である。また、パネルの短辺部材を緊結するためのクランプも端部隙間塞ぎ材の下方に収容されているので、パネル連結後のパネルと端部隙間塞ぎ材のレベル差はなく、端部隙間塞ぎ材の所で段差が生じていない。したがって、作業員は設置後の足場上で安全かつ容易に作業・移動することができる。
【００６３】
さらに、この端部隙間塞ぎ材２３には、開口部２３ｃが３個所設けられている。これらは、橋梁部から吊り下げられたチェーンをパネルの端部の短辺部材に通す場合に用いるものであって、端部隙間塞ぎ材のチェーン吊り位置に対応する場所に設けられる。この開口部があるので、パネル連結後も橋梁部から吊り下げられたチェーンでパネルを吊ることができる。
【産業上の利用可能性】
【００６４】
本発明に係る吊り足場用パネルは、安全かつ容易に連結・解体することができるだけでなく、設置後の足場上で安全かつ容易に作業・移動することができる。
【符号の説明】
【００６５】
１  吊り足場
２  床版部
３  橋梁部
３ａ  橋梁部のフランジ
４  チェーンクランプ
５  チェーン
６  パネル
６ａ  パネル長辺部材
６ｂ  パネル短辺部材
７  チェーン位置
８  床材
９  隙間
１０  吊りリング
１１  連結具
１２  連結受け部
１３  貫通孔
１４  係止孔
１５  貫通ピン
１６  調整ボルト
１８  チェーン吊り位置
１９  クランプ
１９ａ  クランプのネジ部
２１  作業員
２１ａ  作業員のひざ
２１ｂ  作業員の作業位置
２３  端部隙間塞ぎ材
２３ａ  端部隙間塞ぎ材の段差
２３ｂ  端部隙間塞ぎ材の蝶番
２３ｃ  端部隙間塞ぎ材の開口部
【図１】
2015081456.tif 000003
【図２】
2015081456.tif 000004
【図３】
2015081456.tif 000005
【図４】
2015081456.tif 000006
【図５】
2015081456.tif 000007
【図６】
2015081456.tif 000008
【図７】
2015081456.tif 000009
【図８】
2015081456.tif 000010
【図９】
2015081456.tif 000011
【図１０】
2015081456.tif 000012
【図１１】
2015081456.tif 000013
【図１２】
2015081456.tif 000014
【図１３】
2015081456.tif 000015